(57)【特許請求の範囲】
【請求項１】
地中の障害物を破砕する障害破砕方法であって、
天面全面がふさがれた蓋部を有し、当該蓋部から内部に水、又は、水及び空気を噴出するように供給可能な水空気供給部を有している最上部ケーシングの下部に、掘削刃を下端に有した最下部ケーシングを少なくとも接続したケーシングを準備するケーシング準備工程と、
前記ケーシングを掘削機で回転させながら地中に埋込むとともに、地中の障害物を破砕する破砕工程と、を備え、
前記破砕工程では、前記最上部ケーシングの前記水空気供給部から、水、又は、水及び空気を噴出するように供給することを特徴とする障害破砕方法。
【請求項２】
地中の障害物を破砕する障害除去方法であって、
天面全面がふさがれた蓋部を有し、当該蓋部から内部に水、又は、水及び空気を噴出するように供給可能な水空気供給部を有している最上部ケーシングの下部に、掘削刃を下端に有した最下部ケーシングを少なくとも接続したケーシングを準備するケーシング準備工程と、
前記ケーシングを掘削機で回転させながら地中に埋込むとともに、地中の障害物を破砕する破砕工程と、
地中に埋設された前記ケーシング内に、掘削機によりハンマークラブを挿入して障害物を把持し、地中から除去する障害除去工程と、を備え、
前記破砕工程では、前記最上部ケーシングの前記水空気供給部から、水、又は、水及び空気を噴出するように供給することを特徴とする障害除去方法。
【請求項３】
前記ケーシングの前記最上部ケーシングと前記最下部ケーシングの間に中間ケーシングを接続して、前記破砕工程と障害除去工程とを再度実行することを特徴とする請求項２に記載の障害除去方法。
【発明の詳細な説明】
【技術分野】
【０００１】
本発明は、建築構造物の建替え等のときに、地中に埋設されているコンクリートや鉄骨等の障害物を破砕、除去するためのケーシング、障害破砕方法、及び障害除去方法に関するものである。
【背景技術】
【０００２】
ビルやマンション等の建築構造物は、その荷重支持のために地中に杭や壁等のコンクリートや鉄骨が埋設されている。これらの建築構造物を建替える場合は、埋め込まれているコンクリートや鉄骨等の障害物を破砕又は除去する必要がある。
【０００３】
特許文献１には、全周回転機を用いてケーシングを地中に圧入し、ケーシング下端に設けられたビットで障害物を破砕した後、ハンマークラブで障害物を除去する方法が記載されている。
【先行技術文献】
【特許文献】
【０００４】
特許文献１：特開２０１７−７５４５１号公報
【発明の概要】
【発明が解決しようとする課題】
【０００５】
しかしながら、特許文献１に記載の方法は、隣の建物に近接した現場では全周回転機が大き過ぎて使用できないという問題があった。また、土圧によりケーシングの掘削力が弱くなることがあり、ケーシングを地中に埋め込むのに時間がかかることがあるという問題があった。
【０００６】
本発明は、上記問題点を解決して、狭いスペースでも効率よく地中の障害物を破砕又は除去することを課題とする。
【課題を解決するための手段】
【０００９】
上記課題を解決するために本発明は、地中の障害物を破砕する障害破砕方法であって、
天面全面がふさがれた蓋部を有し、当該蓋部の中央部から内部に水、又は、水及び空気を噴出するように供給可能な水空気供給部を有している最上部ケーシングの下部に、掘削刃を下端に有した最下部ケーシングを少なくとも接続したケーシングを準備するケーシング準備工程と、
前記ケーシングを掘削機で回転させながら地中に埋込むとともに、地中の障害物を破砕する破砕工程と、を備え、
前記破砕工程では、前記最上部ケーシングの前記水空気供給部から、水、又は、水及び空気を噴出するように供給することを特徴とする障害破砕方法を提供するものである。
【００１０】
この構成により、ケーシング内から下端の土圧に対して水と空気を供給して土を軟らかくし、ケーシングの掘削力を向上させることができるため、小型の掘削機で埋込みが可能となり、狭いスペースでも効率よく地中の障害物を破砕することができる。
【００１１】
また、上記課題を解決するために本発明は、地中の障害物を破砕する障害除去方法であって、
天面全面がふさがれた蓋部を有し、当該蓋部の中央部から内部に水、又は、水及び空気を噴出するように供給可能な水空気供給部を有している最上部ケーシングの下部に、掘削刃を下端に有した最下部ケーシングを少なくとも接続したケーシングを準備するケーシング準備工程と、
前記ケーシングを掘削機で回転させながら地中に埋込むとともに、地中の障害物を破砕する破砕工程と、
地中に埋設された前記ケーシング内に、掘削機によりハンマークラブを挿入して障害物を把持し、地中から除去する障害除去工程と、を備え、
前記破砕工程では、前記最上部ケーシングの前記水空気供給部から、水、又は、水及び空気を噴出するように供給することを特徴とする障害除去方法を提供するものである。
【００１２】
この構成により、ケーシング内から下端の土圧に対して水と空気を供給して土を軟らかくし、ケーシングの掘削力を向上させることができるため、小型の掘削機で埋込みが可能となり、狭いスペースでも効率よく地中の障害物を破砕、除去することができる。
【００１３】
前記ケーシングの前記最上部ケーシングと前記最下部ケーシングの間に中間ケーシングを接続して、前記破砕工程と障害除去工程とを再度実行する構成としてもよい。
【００１４】
この構成により、地中深くケーシングを埋め込み、障害物を破砕し除去することができる。
【発明の効果】
【００１５】
本発明のケーシング、障害破砕方法、及び障害除去方法により、ケーシングの掘削力を向上させることができるため、小型の掘削機で埋込みが可能となるため、狭いスペースでも効率よく地中の障害物を破砕又は除去することができる。
【図面の簡単な説明】
【００１６】
【図１】本発明の実施例１における最上部ケーシングを説明する図である。
【図２】本発明の実施例１における最上部ケーシングの水空気供給部から、水、又は、水及び空気が供給される様子を説明する断面図である。
【図３】本発明の実施例１における障害破砕方法を説明する図である。
【図４】本発明の実施例２における障害破砕方法を説明する図である。
【図５】本発明の実施例３における障害除去方法を説明する図である。
【発明を実施するための形態】
【実施例１】
【００１７】
本発明の実施例１について、図１〜図３を参照して説明する。図１は、本発明の実施例１における最上部ケーシングを説明する図である。図２は、本発明の実施例１における最上部ケーシングの水空気供給部から、水、又は、水及び空気が供給される様子を説明する断面図である。図３は、本発明の実施例１における障害破砕方法を説明する図である。
【００１８】
（ケーシング）
実施例１におけるケーシングＫは最上部ケーシング１を最上部に有している。最上部ケーシング１は、図１、図２に示すように、円筒形状（φ７００〜２３００ｍｍ）をしており、天面には蓋部１ａが全面に設けられて塞がれている。また、蓋部１ａには水空気供給部１ｂが設けられ、水用ホース（図示せず）によって供給された水Ｗが最上部ケーシング１の内部に供給可能とされている。また、同様に、水空気供給部１ｂにおける空気用ホース（図示せず）によって供給された空気Ａが最上部ケーシング１の内部に供給可能とされている。水空気供給部１ｂに供給された水Ｗと空気Ａは水空気供給部１ｂで混合されてケーシングＫ内に供給される。また、水Ｗ及び空気Ａは図示しない制御部によって、水Ｗのみの供給、又は、水及び空気の供給を選択することができる。さらに、水用ホース、又は空気用ホースから水空気供給部１ｂを介して、削孔液（例えば、ベントナイト）を最上部ケーシング１の内部に供給することができる。
【００１９】
ここで、最上部ケーシング１は、通常、ドレットラーと呼ばれるもので、このドレットラーの下にケーシングが接続されるが、本発明においては最上部ケーシングと呼ぶ。
【００２０】
図１に示すように、最上部ケーシング１の上部には、シーベルと呼ばれる回転が可能な治具が接続されており、最上部ケーシング１はシーベル４を介して掘削機１１に取付けられる（図３参照）。水用ホース及び空気用ホースはこのシーベル４及び水空気供給部１ｂの中を通っている。最上部ケーシング１の下部には中間ケーシング３（図３参照）がボルトによって接続され、さらに中間ケーシング３の下部には最下部ケーシング２（図３参照）がボルトによって接続されている。最下部ケーシング２の下端には掘削刃が設けられている。中間ケーシング３は必須ではなく、掘削する地中の深さが浅い場合は接続しなくてもよい。少なくとも最上部ケーシング１と最下部ケーシング２が接続されていればよい。つまり、本発明におけるケーシングＫは、中間ケーシング３が最上部ケーシング１と最下部ケーシング２との間に、一つ又は複数接続されていても接続されていなくてもよく、少なくとも最上部ケーシング１と最下部ケーシング２が接続されていればよい。
【００２１】
最上部ケーシング１の水空気供給部１ｂから供給された水Ｗや空気Ａは、ケーシングＫの下端の土圧に供給されて土を軟らかくすることで、ケーシングＫ下端の掘削刃による掘削力が向上し、効率的に地中に埋め込むことができる。従来のケーシングの側面には軽量化のために複数の穴が形成されているが、実施例１における最上部ケーシング１、最下部ケーシング２、及び中間ケーシング３は、元々杭打ちに用いられるケーシングであって生コンが漏れないようにその側面部分には穴が形成されておらず、最下部ケーシング２の下端のみ開口されている。そのため、供給された水Ｗや空気ＡがケーシングＫの外にでることがなく、効率的にケーシングＫ下端の土を軟らかくすることができ、ケーシングＫの掘削力を向上させることができる。特に、水に加えて空気を供給することで、砂利等が舞い上げられて水との相乗効果で土を軟らかくすることができる。
【００２２】
ここで、掘削機１１は、高トルクのシーベル４（回転ヘッド）と押し込み力の大きな削孔装置を備えた自走可能な掘削機である。ケーシングＫを掘削機１１に取付けてシーベル４を回転させながら下方へ押し込むことにより、ケーシングＫを地中に埋込み可能であり、コンクリート等の障害物があれば、大きい押し込み力により破砕することができる。また、後述のように、破砕具やハンマークラブを取付けることができ、ケーシングＫ内の障害物を破砕したり、破砕された障害物を除去することが可能である。さらに、掘削力が向上することにより小型の掘削機１１で埋込みが可能であるため、従来の全周回転機に比べて狭いスペースで作業が可能であり、隣接建物や敷地境界との離隔が小さい場所でも施工することができる。実施例１においては、離隔が１.５ｍでも施工可能である。
【００２３】
従来は、全周回転機によって、水や空気を供給しないでケーシングを地中に埋め込んで障害物を破砕することが行われていた。その場合、ケーシングを回転させながら地中に埋め込む際に、掘削力が弱く効率的な障害物の破砕ができないことがあった。また、全周回転機を使っているため広いスペースが必要で隣接地までの離隔が少ないところでは施行が困難であった。これに対して、実施例１においては、最上部ケーシング１内に水や空気を供給可能であるため、ケーシングＫを地中に埋め込む際に水や空気でケーシングＫ下端の土を軟らかくして掘削することで、掘削力が向上し、小型の掘削機で効率的に障害物の破砕や除去を行うことができる。
【００２４】
水空気供給部１ｂから供給する水Ｗや空気Ａは、ケーシングＫで掘削する土壌によって水Ｗのみ、又は、水Ｗ及び空気Ａというように供給するものを選択することができる。例えば、粘性度が高い土の場合は空気の効果が少ないので水Ｗのみ供給するようにしてもよい。
【００２５】
（障害破砕方法）
実施例１の障害破砕方法について図３を参照して説明する。図３（ａ）と図３（ｂ）はケーシング準備工程を説明する図であり、図３（ｃ）は破砕工程を説明する図である。
【００２６】
まず、ケーシング準備工程を実施する。ケーシング準備工程では、天面に蓋部１ａを有し、当該蓋部１ａから内部に水、又は、水及び空気を供給可能な水空気供給部１ｂを有している最上部ケーシング１の下部に、掘削深さを深くするため中間ケーシング３をボルトで接続し、さらに掘削刃を下端に有した最下部ケーシング２を中間ケーシング３にボルトで接続したケーシングＫを準備する。そして、ケーシングＫを掘削機１１にシーベル４を介して取り付ける。
【００２７】
ここで、中間ケーシング３は必ずしも必要ではなく、掘削の深さが浅い場合には必要ない。すなわち、最上部ケーシング１に少なくとも最下部ケーシング２を接続すればよい。逆に掘削深さを深くする場合は、中間ケーシング３を複数接続すればよい。この場合、最初から複数の中間ケーシング３を接続してもよいが、掘削機１１の高さの都合により、後から中間ケーシング３を追加してもよい。すなわち、一旦、ケーシングＫにより後述の破砕工程を実施し、その後、他のケーシングを地中に残したまま最上部ケーシング１のみを分離し、最上部ケーシング１の下部に追加の中間ケーシング３を接続して地中に残したケーシングに接続するようにすればよい。
【００２８】
次に、破砕工程を実施する。破砕工程では、掘削機１１に取付けたシーベル４を回転させることでケーシングＫを回転させながら地中に圧入して、コンクリートや鉄骨等の障害物があれば破砕する。その際、ケーシングＫの掘削力を高めるために、水空気供給部１ｂから水Ｗや空気Ａを供給してケーシングＫ下端の土を軟らかくすることで掘削力が向上し、効率的に障害物を破砕することができる。従来は、水や空気を供給せずにケーシングを地中に埋め込んでいたので、ケーシングの掘削力が弱く地中への埋込みに時間がかかることがあったが、本発明の実施例１では、この問題を解決して、効率的にケーシングを地中に埋め込んで障害物を破砕できる。
【００２９】
また、従来、ケーシングの外側に配管して水をケーシング下端に外側から供給することが一部では行われていたが、この場合は余分な配管が必要になり手間がかかるとともに、この配管の土圧に対する抵抗によりケーシングの掘削力が低下するという問題があった。このため、実施例１のように、ケーシングＫの内部に水Ｗや空気Ａを供給することによってケーシングＫの掘削力を効率的に向上させることができる。
【００３０】
水Ｗ、空気Ａを両方供給するか、一方のみとするかは、掘削する土壌によって選択する。すなわち、粘性度が高い土の場合は空気の効果が少ないので水Ｗのみ供給するようにしてもよい。その他の場合は、水Ｗ及び空気Ａを供給するとよい。特に、砕かれた岩が堆積しているところや砂礫層について水Ｗ及び空気Ａを供給すると効果的である。
【００３１】
また、実施例１では、掘削機１１にケーシングＫを取付けて水や空気を供給しながら地中に埋め込んでいるので、従来の全周回転機を設置してケーシングを埋め込む場合に比べて隣接する建物等に近い現場でも効率的にケーシングＫにより地中に埋込み、障害物を破砕することができる。実施例１においては、隣接する建物が１．５ｍくらいの離隔であっても障害物の破砕をすることができる。
【００３２】
なお、実施例１においては、最上部ケーシング１に少なくとも最下部ケーシング２を接続する構成としたが、必ずしもこれに限定されず適宜変更が可能である。例えば、最上部ケーシング１の下端に掘削刃を備えている場合は、必ずしも最下部ケーシング２を接続する必要はない。
【００３３】
このように、実施例１においては、地中に埋め込むケーシングであって、
前記ケーシングは、少なくとも最上部ケーシング及び掘削刃を下端に有した最下部ケーシングを備え、
前記最上部ケーシングは、天面がふさがれた蓋部を有し、当該蓋部から内部に水、又は、水及び空気を供給可能な水空気供給部を有していることを特徴とするケーシングを用いることにより、ケーシング内から下端の土圧に対して水と空気を供給して土を軟らかくし、ケーシングの掘削力を向上させることができるため、小型の掘削機や全周回転機でケーシングを埋め込むことが可能となり、狭いスペースでも効率よく地中の障害物を破砕することができる。
【００３４】
また、実施例１においては、地中の障害物を破砕する障害破砕方法であって、
天面に蓋部を有し、当該蓋部から内部に水、又は、水及び空気を供給可能な水空気供給部を有している最上部ケーシングの下部に、掘削刃を下端に有した最下部ケーシングを少なくとも接続したケーシングを準備するケーシング準備工程と、
前記ケーシングを掘削機に取付けて回転させながら地中に埋込むとともに、地中の障害物を破砕する破砕工程と、を備え、
前記破砕工程では、前記最上部ケーシングの前記水空気供給部から、水、又は、水及び空気を供給することを特徴とする障害破砕方法により、ケーシング内から下端の土圧に対して水と空気を供給して土を軟らかくし、ケーシングの掘削力を向上させることができるため、小型の掘削機で埋込みが可能となり、狭いスペースでも効率よく地中の障害物を破砕することができる。
【実施例２】
【００３５】
本発明の実施例２は、実施例１における障害破砕方法にケーシング内破砕工程を追加した点で実施例１と異なっている。実施例２における障害破砕方法について、図４を参照して説明する。図４は、本発明の実施例２における障害破砕方法を説明する図である。
【００３６】
図４（ａ）、図４（ｂ）は、ケーシング準備工程を示しており、図４（ｃ）は、破砕工程を示している。ケーシング準備工程と破砕工程については、実施例１とおなじであるので説明を省略する。
【００３７】
図４（ｄ）は、ケーシング内破砕工程を示している。すなわち、破砕工程において、水や空気を供給しながらケーシングＫを地中に埋め込んで障害物Ｂを破砕した後、ケーシングＫ内に破砕されたものの大きな障害物Ｂがある場合に、ケーシング内破砕工程を実施する。ケーシング内破砕工程では、掘削機１１からケーシングＫ（つまり最上部ケーシング１）を取外し、代わりに破砕具５を取り付ける。そして、掘削機１１によって破砕具５をケーシングＫ内に下降させる。破砕具５が障害物Ｂに到着すると、掘削機１１のシーベル４を回転させることで破砕具５を回転させるとともに圧力を障害物Ｂに加えて破砕する。破砕具５は大きなネジ山のような掘削刃で構成され、回転させながら圧力を加えることで障害物Ｂが破砕される。
【００３８】
ケーシング内破砕工程は、必ずしも必要ではなく、ケーシングＫ内に大きな障害物Ｂが存在する場合にのみ実施すればよい。ケーシングＫ内に大きな障害物が存在するかどうかは、センサー等でセンシングして調べればよい。
【００３９】
このように、実施例２においては、破砕具によりケーシング内破砕工程を実施することで、ケーシング内の大きな障害物を細かく砕くことができる。
【実施例３】
【００４０】
本発明の実施例３は、地中の障害物を破砕した後、ケーシング内の破砕された障害物を除去する障害除去工程を追加した点で実施例１、実施例２と異なっている。実施例３における障害除去方法について、図５を参照して説明する。図５は、本発明の実施例３における障害除去方法を説明する図である。
【００４１】
図５（ａ）はケーシング準備工程、図５（ｂ）は破砕工程、図５（ｃ）はケーシング内破砕工程、図５（ｄ）は障害除去工程を示している。まず、ケーシング準備工程を実施する。ケーシング準備工程では、天面に蓋部１ａを有し、当該蓋部１ａから内部に水、又は、水及び空気を供給可能な水空気供給部１ｂを有している最上部ケーシング１の下部に、掘削深さを深くするため中間ケーシング３を接続し、さらに掘削刃を下端に有した最下部ケーシング２を接続したケーシングＫを準備する。そして、ケーシングＫを掘削機１１にシーベル４を介して取り付ける。
【００４２】
ここで、中間ケーシング３は必ずしも必要ではなく、掘削の深さが浅い場合には必要ない。すなわち、最上部ケーシング１に少なくとも最下部ケーシング２を接続すればよい。逆に掘削深さを深くする場合は、中間ケーシング３を複数接続すればよい。この場合、最初から複数の中間ケーシング３を接続してもよいが、掘削機１１の高さの都合により、後から中間ケーシング３を追加してもよい。すなわち、一旦、ケーシングＫにより後述の破砕工程と障害除去工程とを実施し、その後、他のケーシングを地中に残したまま最上部ケーシング１のみを分離し、最上部ケーシング１の下部に追加の中間ケーシング３を接続して地中に残したケーシングに接続するようにすればよい。
【００４３】
次に、破砕工程を実施する。破砕工程では、掘削機に取付けられているシーベル４を回転させることでケーシングＫを回転させながら地中に圧入して、コンクリートや鉄骨等の障害物があれば破砕する。その際、ケーシングＫの掘削力を高めるために、水空気供給部１ｂから水Ｗや空気Ａを供給してケーシングＫ内からケーシングＫ下端の土を軟らかくすることで掘削力が向上し、効率的に障害物を破砕することができる。従来は、水や空気を供給せずにケーシングを地中に埋め込んでいたので、ケーシングの掘削力が弱く地中への埋込みに時間がかかることがあったが、本発明の実施例３では、この問題を解決して、効率的にケーシングを地中に埋め込んで障害物を破砕できる。
【００４４】
水Ｗ、空気Ａを両方供給するか、一方のみとするかは、掘削する土壌によって選択する。すなわち、粘性度が高い土の場合は空気の効果が少ないので水Ｗのみ供給するようにしてもよい。
【００４５】
また、実施例３においては、掘削機１１にケーシングＫを取付けて水や空気を供給しながら地中に埋め込んでいるので、従来の全周回転機を設置してケーシングを埋め込む場合に比べて隣接する建物等に近い現場でも効率的にケーシングＫにより地中に埋込み、障害物を破砕することができる。実施例３においては、隣接する建物が１．５ｍくらいの離隔であっても障害物の破砕をすることができる。
【００４６】
次に、ケーシング内破砕工程を実施する。すなわち、破砕工程において、水や空気を供給しながらケーシングＫを地中に埋め込んで障害物Ｂを破砕した後、ケーシングＫ内に破砕されたものの大きな障害物がある場合に、ケーシング内破砕工程を実施する。ケーシング内破砕工程では、ケーシングＫを地中に残したまま掘削機１１からケーシングＫ（つまり最上部ケーシング１）を取外し、代わりに破砕具５を取り付ける。そして、掘削機１１によって破砕具５をケーシングＫ内に下降させる。破砕具５が障害物Ｂに到着すると、掘削機１１のシーベル４を回転させることで破砕具５を回転させるとともに圧力を障害物Ｂに加えて破砕する。破砕具５は大きなネジ山のような切削刃で構成され、回転させながら圧力を加えることで障害物が破砕される。
【００４７】
なお、ケーシング内破砕工程は必ずしも必要ではなく、ケーシングＫ内に大きな障害物Ｂが存在する場合に実施すればよい。ケーシングＫ内に大きな障害物が存在するかどうかは、センサー等でセンシングして調べてもよいが、後述の障害除去工程でハンマークラブが障害物Ｂを把持できないときに実施するようにしてもよい。
【００４８】
次に、障害除去工程を実施する。障害除去工程では、掘削機１１に取付けられていたケーシングＫ又は破砕具５を取外して、ハンマークラブ６を取り付ける。そして、ハンマークラブ６を地中に埋設されているケーシングＫ内に挿入し下降させる。ハンマークラブ６が破砕された障害物Ｂに到着したら、障害物Ｂを把持して地上に引上げ、所定の場所に載置する。ハンマークラブ６は、複数の把持爪を備えており、この複数の把持爪を閉じることで障害物Ｂを把持することができる。
【００４９】
なお、実施例３においては、最上部ケーシング１に少なくとも最下部ケーシング２を接続する構成としたが、必ずしもこれに限定されず適宜変更が可能である。例えば、最上部ケーシング１の下端に掘削刃を備えている場合は、必ずしも最下部ケーシング２を接続する必要はない。
【００５０】
このように、実施例３においては、地中の障害物を破砕する障害除去方法であって、
天面に蓋部を有し、当該蓋部から内部に水、又は、水及び空気を供給可能な水空気供給部を有している最上部ケーシングの下部に、掘削刃を下端に有した最下部ケーシングを少なくとも接続したケーシングを準備するケーシング準備工程と、
前記ケーシングを掘削機に取付けて回転させながら地中に埋込むとともに、地中の障害物を破砕する破砕工程と、
地中に埋設された前記ケーシング内に、掘削機に取付けたハンマークラブを挿入して障害物を把持し、地中から除去する障害除去工程と、を備え、
前記破砕工程では、前記最上部ケーシングの前記水空気供給部から、水、又は、水及び空気を供給することを特徴とする障害除去方法により、ケーシング内から下端の土圧に対して水と空気を供給して土を軟らかくし、ケーシングの掘削力を向上させることができるため、小型の掘削機で埋込みが可能となり、狭いスペースでも効率よく地中の障害物を破砕することができる。
【産業上の利用可能性】
【００５１】
本発明におけるケーシング、障害破砕方法、及び障害除去方法は、地中の障害物を効率的に破砕又は除去する分野に広く用いることができる。
【符号の説明】
【００５２】
１：最上部ケーシング    １ａ：蓋部    １ｂ：水空気供給部    
４：シーベル    ５：破砕具    ６：ハンマークラブ    １１：掘削機    
Ｂ：障害物    Ｋ：ケーシング    
Ｗ：水    Ａ：空気    
【要約】
【課題】狭いスペースでも効率よく地中の障害物を破砕又は除去することを課題とする。
【解決手段】地中に埋め込むケーシングＫであって、前記ケーシングＫは、少なくとも最上部ケーシング１及び掘削刃を下端に有した最下部ケーシング２を備え、前記最上部ケーシングは、天面がふさがれた蓋部１ａを有し、当該蓋部から内部に水、又は、水及び空気を供給可能な水空気供給部１ｂを有していることを特徴とするケーシングＫを用いて障害物を破砕又は除去することとした。
【選択図】図１【図１】
0006843358.tif 000002
【図２】
0006843358.tif 000003
【図３】
0006843358.tif 000004
【図４】
0006843358.tif 000005
【図５】
0006843358.tif 000006